(57)【特許請求の範囲】
【請求項１】
釘状の先端部を備えた複数の固定部と、
前記固定部の先端部の他端側に設けられ、前記固定部と棒状に一体となると共に、
前記固定部の先端部を打ち込むための打撃を受ける突出部と、
複数の前記突出部同士を接続すると共に、複数の前記突出部に対し凹状をなす装着部と
、
複数の前記突出部及び前記装着部に着脱可能に装着され、複数の前記突出部及び前記装着部が作る空間にケーブルを保持するケーブル保持部と、を備え、
前記ケーブル保持部がケーブルを挟持する挟持構造としてヒンジ構造を有すること
を特徴とするケーブル用ステップル
【発明の詳細な説明】
【０００１】
【発明の属する技術分野】
本発明は、ケーブル等の保持に用いられるステップルに関し、特に、光ファイバケーブルのような衝撃に弱いケーブルを、ビル構内、屋内の壁面、床、天井及び屋外壁面等に配線する際に適用される。
【０００２】
【従来の技術】
ケーブル等を屋内の壁面等に固定する場合に用いられるステップルは、ケーブル等をステップルにより挟み込み、釘を打ち込むようにして壁面等に固定される。
【０００３】
従来のステップルは、全体の形状がＵ字型をしており、その２つの先端が釘状になっている。一般的には、金属材料で作られており、壁面等に釘状の部分を打ち込む構造となっている。
【０００４】
上記ステップルを使用する場合、固定しようとするケーブルにステップル本体を跨ぐようにかぶせ、金づち等によりステップル上面をたたき、その先端部分を壁面等に打ち込み、打ち込んだ圧力によってケーブルをステップル及び壁面間に保持固定するものである。上記のようなステップルの中には、打ち込み時の衝撃及び固定時の圧力を軽減するために、緩衝材料を配した構造のものもある。
【０００５】
【発明が解決しようとする課題】
光ファイバケーブルは、光伝送媒体となるコアの部分が、石英又はプラスチック等により構成されており、光伝送特性を保つために、曲げの曲率半径やケーブルにかかる力等に制限がある。そのため、このようなケーブルを配線する場合、上記点に注意して行わなければならない。
【０００６】
したがって、上記構造のステップルを用いて、光ファイバケーブルのように衝撃に弱いケーブルを配線する場合、打ち込む力加減によってはケーブルを損傷し、伝送特性を劣化させるおそれがある。
【０００７】
又、たとえ緩衝材料を配した構造のステップルを使用したとしても、施工時に誤って光ファイバケーブル等を打撃した場合、断線又は損傷により伝送特性を劣化させるという問題もある。
【０００８】
特に、光ファイバケーブルのように、衝撃に弱いケーブルを配線する場合、誤って衝撃を与えることなく壁面等に固定し、伝送特性を劣化させることなく適性に保持できることが望ましい。
【０００９】
又、既に配線されているケーブルを変更する等の理由から、ステップルを壁面等から撤去し、元の位置に再度ステップルを打ち込む場合、ステップル自体の固定強度が不十分となるため、近傍の別の場所に再度ステップルを打ち込むことになり、その都度壁面を損傷するという問題もある。
【００１０】
本発明は、上記問題に鑑み、容易にケーブルの取付け、取外しができ、且つ、ケーブルに適正な保持力を加えることのできるステップルを提供する。
【００１１】
【課題を解決するための手段】
上記課題を解決する本発明に係るケーブル用ステップルは、釘状の先端部を備えた複数の固定部と、前記固定部の先端部の他端側に設けられ、前記固定部と棒状に一体となると共に、前記固定部の先端部を打ち込むための打撃を受ける突出部と、複数の前記突出部同士を接続すると共に、複数の前記突出部に対し凹状をなす装着部と、複数の前記突出部及び前記装着部に着脱可能に装着され、複数の前記突出部及び前記装着部が作る空間にケーブルを保持するケーブル保持部とを備えたことを特徴とする。
【００１２】
上記課題を解決する本発明に係るケーブル用ステップルは、前記ケーブル保持部がケーブルを挟持する挟持構造を備えたことを特徴とする。
【００１３】
上記課題を解決する本発明に係るケーブル用ステップルは、前記挟持構造をヒンジ構造又はキャップ構造とし、ケーブルを容易に保持又は解放できるようにしたことを特徴とする。
【００１４】
上記課題を解決する本発明に係るケーブル用ステップルは、任意の太さのケーブルを挟持できるように、前記ケーブル保持部のケーブルとの接触面に適切な厚さの緩衝材を備えたことを特徴とする。
【００１７】
【発明の実施の形態】
以下、図に示す実施例に基づいて本発明を詳しく説明する。なお、本発明は、これらの図面により限定されるものではない。
【００１８】
図１は、本発明に係る実施形態の一例を示すステップルの台座部の斜視図である。本発明に係るケーブル用ステップルは、主に台座部と、後述するケーブル保持部から構成されており、図１では台座部について説明する。
【００１９】
図１に示すように、ステップルの台座部１は、その全体的な形状は凡そＨ字をしており、釘状の先端部分を有する平行な棒状の固定部４と、固定部４と一体をなし、その上部に配置され、上面に平坦部分を有する突出部３と、突出部３を互いにむすび、突出部３に対して凹状をなす装着部２ａとを備えており、突出部３及び装着部２ａにより作られる空間にケーブルを配置できるようになっている。
【００２０】
台座部１を壁面等に固定する場合、突出部３の上面の平坦部分にハンマー等による打撃を与えることにより、固定部４の釘状の部分を壁面等に打ち込み、ステップルの台座部１を壁面等に固定する。この時、突出部３は装着部２ａより突き出た形状であるため、突出部３及び装着部２ａにより作られる空間、即ちケーブル等を配置する空間を損傷、変形させることなく壁面等に打ち込むことができる。そして、突出部３及び装着部２ａに後述するケーブル保持部が着脱可能なように装着され、ケーブル保持部の挟持構造により、ケーブル等が保持されることとなる。
【００２１】
図２は、本発明に係る実施形態の一例を示すステップルの斜視図である。
これは図１に示すステップルの台座部１の上部に、ケーブルを保持するための挟持構造としてケーブル保持部７を取付けたものである。図２中の台座部１に該当する部分の説明については、重複するため省略する。
【００２２】
図２に示すステップル６は、予め台座部１を壁面等に打ち込み、固定し、その後、ケーブル保持部７を、その上部である突出部３及び装着部２ａに取り付け、固定して、ケーブル等を保持固定するものである。即ち、突出部３及び装着部２ａにより作られる空間にケーブル等を配置し、ケーブル保持部７により、ケーブルを挟み込むことで保持固定している。ケーブル保持部７自体は、ステップル６の台座部１（突出部３及び装着部２）から着脱可能なものであり、更に、このケーブル保持部７自体が、容易にケーブル等を保持又は解放できる機能を有する。なお、台座部１へのケーブル保持部７の取付け固定方法は、例えば、引掛け式の構造で、ケーブル保持部が抜けたり横ずれをおこさない構造である。
【００２３】
図２に示すように、ケーブル保持部７は、挟持構造としてヒンジ構造を有しており、ステップル６の台座部１の突出部３及び装着部２ａに取付ける取付部７ａと、ケーブルを上方より押付けて保持固定する押付部７ｂと、押付部７ｂが取付部７ａに対して開閉可能なように、取付部７ａ及び押付部７ｂの端部を互いに接続するヒンジ７ｅと、取付部７ａと押付部７ｂの他の端部を互いに嵌合して固定できるようにするフック７ｃ及びフック受け７ｄとを有している。ケーブル保持部７は、台座部１が壁面等に固定された状態でも、上記ヒンジ構造により、押付部７ｂの開閉を行うことで、ケーブルの保持又は解放が容易に行える。なお、ケーブルの保持又は解放が容易に行える構造のものであれば、例えば、キャップの着脱によりケーブルの保持又は開放を行うキャップ構造のようなものでもよい。
【００２４】
ケーブル保持部７は、緩衝性のある材料を、ケーブルと接する面に有しており、その緩衝材料により、任意の太さのケーブル等を上下から挟み込み、適切に保持できる構造となっている。例えば、シリコンゴム等の緩衝材料の厚さを変更等することにより、任意の太さのケーブルの保持固定が可能となり、この厚さの調整により、適切な保持圧力にてケーブル等を保持固定できる。
【００２５】
図３は、本発明に係る実施形態の他の一例を示すステップルの台座部の斜視図である。
【００２６】
図３に示すように、ステップルの台座部５は、その全体的な形状は凡そＭ字をしており、釘状の先端部分を有する平行な棒状の固定部４と、固定部４と一体をなし、その上部に配置され、上面に平坦部分を有する突出部３と、突出部３を互いにむすび、突出部３に対してＶ字型の凹状をなす装着部２ｂとを備えており、突出部３及び装着部２ｂにより作られる空間にケーブルを配置できるようになっている。
【００２７】
上記台座部５も、上記台座部１と同様に、壁面等に固定する場合、突出部３の上面の平坦部分にハンマー等による打撃を与えることにより、固定部４の釘状の部分を壁面等に打ち込み、ステップルの台座部５を壁面等に固定する。突出部３は装着部２ｂより突き出た形状であるため、突出部３及び装着部２ｂにより作られる空間、即ちケーブル等を配置する空間を損傷、変形させることなく壁面等に打ち込むことができる。そして、突出部３及び装着部２ｂにケーブル保持部が着脱可能なように装着され、ケーブル保持部の挟持構造により、ケーブル等が保持されることとなる。
【００２８】
図３に示すＭ字型の台座部５においても、前述したケーブル保持部７と同様な機能を有するケーブル保持部を用いることにより、同様な効果を得ることができる。
【００２９】
以上実施例に基づいて説明したように、本発明に係るステップルは、光ファイバケーブル等の衝撃に弱いケーブルを露出配線する場合において、ステップルの台座部を予め打ち込み等により固定し、その後、ステップル上部にケーブルを保持するケーブル保持部を取り付け、このケーブル保持部によりケーブル自体の保持をおこなうため、配線作業時に誤ってケーブルに衝撃を与えることなく、安全に保持できるようにすることを特徴とするものである。したがって、光ファイバケーブル等を壁面等に固定する際に、誤ってケーブルを損傷又は特性劣化させることがなくなり、ステップルの打ち込み作業を安全に行うことができる。又、ケーブルの取付け、取外し作業時にステップル本体を撤去する必要がなく、壁面への損傷を抑え、且つ作業効率を向上することができる。
【００３０】
固定部の先端の釘状の形状は、壁面に打ち込めるものであれば、角錐状でも、円錐状でもよく、実施例の形状に限定するわけではない。又、本実施例では２つの固定部を有している構造であるが、固定部は２つに限らず、例えば、１つ又は３つ以上と使用状況に応じて構成を変えてもよい。固定部が１つの場合、例えるならば、Ｙ字型の台座部の形状が考えられる。
【００３１】
又、固定部の先端を、その一部に突起部を有したプラグ状とし、機器内部やプリント基板上に予めプラグ受け具を埋め込んでいれば、そのプラグ状の固定部をプラグ受け具に差し込むことで、ステップルの取付け及び取り外しが容易に着脱可能となり、機器内部やプリント基板上でのケーブル等の配線も容易となる。
【００３２】
更に、固定部の先端部分にねじ山を形成し、固定したい対象機器に貫通穴を予め形成していれば、ねじ山を有する固定部を貫通穴に通し、ナット等によって、容易に固定することができ、ケーブル等の配線も容易となる。したがって、固定部の先端部分の形状を変えれば、壁面だけではなく、機器内配線又はプリント基板上での配線を容易に行うことが可能となる。
【００３３】
前述した固定部を有するステップルにおいて、台座部を打ち込み等により固定した後も、突出部は壁面等の表面上に残って突き出ており、工具等を使用し、その突出部に打ち込まれた固定部を引き抜く方向に力を与えることができる。即ち、突出部に引き抜く方向の力を与えることで、台座部又はステップルを撤去することが可能となる。この時、ケーブル等を予めケーブル保持部より取り外していれば、作業時に誤ってケーブル等を損傷することはない。
【００３４】
保持固定の対象としては、光ファイバケーブルに限らず、例えばＬＡＮ用のケーブルのように、許容される保持力の制限が低いものにも適用可能である。ＬＡＮ用のケーブルも大きい力がかかった場合、断線しないまでも電気的特性が低下し信号の伝送特性が劣化することがある。
【００３５】
【発明の効果】
請求項１に係る発明によれば、釘状の先端部を備えた複数の固定部と、前記固定部の先端部の他端側に設けられ、前記固定部と棒状に一体となると共に、前記固定部の先端部を打ち込むための打撃を受ける突出部と、複数の前記突出部同士を接続すると共に、複数の前記突出部に対し凹状をなす装着部と、複数の前記突出部及び前記装着部に着脱可能に装着され、複数の前記突出部及び前記装着部が作る空間にケーブルを保持するケーブル保持部とを備えた構成であるので、光ファイバケーブル等を壁面などに固定する際に、ケーブルに損傷や特性劣化を生じさせることなく安全に固定できるとともに、ケーブル取付け取外し作業時にステップルの台座部を撤去する必要がなく、壁面への損傷を抑え作業効率を向上させることが可能となる。又、ステップルを打ち込むことで壁面等に取付けることができ、ケーブル等の配線を容易に行うことが可能である。
【００３６】
請求項２乃至請求項３に係る発明によれば、前記ケーブル保持部がケーブルを挟持する挟持構造を備えた構成であるので、ステップルを壁面等に固定した後、ケーブル保持部にてケーブルのみを容易に保持又は解放することができる。
【００３７】
請求項４に係る発明によれば、任意の太さのケーブルを挟持できるように、前記ケーブル保持部のケーブルとの接触面に適切な厚さの緩衝材を備えた構成であるので、任意の太さのケーブルを、適切な保持力にて、保持固定することができる。
【図面の簡単な説明】
【図１】本発明に係る実施形態の一例を示す光ファイバケーブル用ステップルの台座部の斜視図である。
【図２】本発明に係る実施形態の一例を示す光ファイバケーブル用ステップルの斜視図である。
【図３】本発明に係る実施形態の他の一例を示す光ファイバケーブル用ステップルの台座部の斜視図である。
【符号の説明】
１    台座部
２ａ  装着部
２ｂ  装着部
３    突出部
４    固定部
５    台座部
６    ステップル
７    ケーブル保持部
７ａ  取付部
７ｂ  押付部
７ｃ  フック
７ｄ  フック受け
７ｅ  ヒンジ
【図１】
0003974403.tif 000002
【図２】
0003974403.tif 000003
【図３】
0003974403.tif 000004